(57)【要約】【課題】  多くの利用者が限られた空間内で混信することなく、円滑に会話することができる相互通話装置を提供する。【解決手段】  難聴者同士の会話または難聴者と健聴者の会話を支援する子器側装置４と本体側装置５からなる相互通話装置において、子器側装置４と本体側装置５との送受信に赤外線Ｒを使用して行う。子器側装置４は、マイクロホン４０と、受光センサ４１と、赤外線復調部４２と、増幅部４３と、イヤホン４４と、赤外線変調部４５と、赤外線送信部４６からなり、本体側装置５は、受光センサ５０と、複数の赤外線復調部５１と、赤外線変調部５２と、赤外線送信部５３からなる。【選択図】        図３
2005252960.tif 000002
【特許請求の範囲】
【請求項１】
難聴者同士の会話または難聴者と健聴者の会話を支援する子器側装置と本体側装置からなる相互通話装置において、前記子器側装置から前記本体側装置への送信に赤外線を使用して行うことを特徴とする相互通話装置。
【請求項２】
前記子器側装置は、マイクロホンと、誘導コイルと、増幅部と、イヤホンと、赤外線変調部と、赤外線送信部からなり、前記本体側装置は、受光センサと、複数の赤外線復調部と、ループアンプと、磁気ループからなる請求項１記載の相互通話装置。
【請求項３】
前記子器側装置が、マイクロホンと誘導コイルと増幅部とイヤホンからなる共同聴取用受信部と、マイクロホンと増幅部と赤外線変調部と赤外線送信部からなる個人別送信部とから構成される請求項２記載の相互通話装置。
【請求項４】
難聴者同士の会話または難聴者と健聴者の会話を支援する子器側装置と本体側装置からなる相互通話装置において、前記子器側装置と前記本体側装置との送受信に赤外線を使用して行うことを特徴とする相互通話装置。
【請求項５】
前記子器側装置は、マイクロホンと、受光センサと、赤外線復調部と、増幅部と、イヤホンと、赤外線変調部と、赤外線送信部からなり、前記本体側装置は、受光センサと、複数の赤外線復調部と、赤外線変調部と、赤外線送信部からなる請求項４記載の相互通話装置。
【請求項６】
前記子器側装置が、マイクロホンと受光センサと赤外線復調部と増幅部とイヤホンからなる共同聴取用受信部と、マイクロホンと増幅部と赤外線変調部と赤外線送信部からなる個人別送信部とから構成される請求項５記載の相互通話装置。
【発明の詳細な説明】
【技術分野】
【０００１】
本発明は、特に聾学校などにおいて難聴者同士の会話または難聴者と健聴者の会話を支援するために用いられる相互通話装置に関する。
【背景技術】
【０００２】
従来、聾学校などにおいて用いる相互通話装置としては、複数のＦＭワイヤレスマイクと補聴器を用いる装置が知られている。この装置は、先生と生徒が夫々異なったチャンネルのＦＭワイヤレスマイクを所有し、これと対応したチャンネルの受信機からの音声信号を、ループアンプを通して磁気ループに流し、補聴器の誘導コイルで磁波を受信して、各人が互いに聴取するものである。このような装置により、難聴者同士であっても、先生と生徒、生徒と生徒が相互に自由に会話することが可能になる。
【発明の開示】
【発明が解決しようとする課題】
【０００３】
しかし、従来の装置においては、必要なチャンネル数の確保が困難であるという問題があった。聾学校は、複数のクラスで構成されることが多く、これらのクラスに教室が割り当てられる。一つの教室で、例えば先生１人と生徒６人が相互に会話をしようとすると、７チャンネルの周波数が必要となるが、電波は漏洩するので、その周辺の教室では同一チャンネルの周波数は使用できない。
【０００４】
従って、７チャンネル以外の周波数を使用しなければならず、チャンネル数が確保し難い。この問題を解決するために、各教室に十分な電波シールドを施すことも考えられるが、これには教室の改装等が必要となり、また教室には大きな窓があるため現実的ではない。
【０００５】
本発明は、従来の技術が有するこのような問題点に鑑みてなされたものであり、その目的とするところは、多くの利用者が限られた空間内で混信することなく、円滑に会話することができる相互通話装置を提供しようとするものである。
【課題を解決するための手段】
【０００６】
上記課題を解決すべく請求項１に係る発明は、難聴者同士の会話または難聴者と健聴者の会話を支援する子器側装置と本体側装置からなる相互通話装置において、前記子器側装置から前記本体側装置への送信に赤外線を使用して行うものである。
【０００７】
請求項２に係る発明は、請求項１記載の相互通話装置において、前記子器側装置は、マイクロホンと、誘導コイルと、増幅部と、イヤホンと、赤外線変調部と、赤外線送信部からなり、前記本体側装置は、受光センサと、複数の赤外線復調部と、ループアンプと、磁気ループからなる。
【０００８】
請求項３に係る発明は、請求項２記載の相互通話装置において、前記子器側装置が、マイクロホンと誘導コイルと増幅部とイヤホンからなる共同聴取用受信部と、マイクロホンと増幅部と赤外線変調部と赤外線送信部からなる個人別送信部とから構成される。
【０００９】
請求項４に係る発明は、難聴者同士の会話または難聴者と健聴者の会話を支援する子器側装置と本体側装置からなる相互通話装置において、前記子器側装置と前記本体側装置との送受信に赤外線を使用して行うものである。
【００１０】
請求項５に係る発明は、請求項４記載の相互通話装置において、前記子器側装置は、マイクロホンと、受光センサと、赤外線復調部と、増幅部と、イヤホンと、赤外線変調部と、赤外線送信部からなり、前記本体側装置は、受光センサと、複数の赤外線復調部と、赤外線変調部と、赤外線送信部からなる。
【００１１】
請求項６に係る発明は、請求項５記載の相互通話装置において、前記子器側装置が、マイクロホンと受光センサと赤外線復調部と増幅部とイヤホンからなる共同聴取用受信部と、マイクロホンと増幅部と赤外線変調部と赤外線送信部からなる個人別送信部とから構成される。
【発明の効果】
【００１２】
以上説明したように請求項１又は２に係る発明によれば、子器側装置から本体側装置への送信に部屋などの壁や簡単なパーティションで遮蔽することができる赤外線を使用しているので、隣の部屋で同じチャンネルの周波数を使用しても混信することがない。
【００１３】
請求項３に係る発明によれば、健聴者は補聴器の機能を除いた個人別送信部を携帯するだけで、難聴者との会話を円滑に行うことができる。
【００１４】
請求項４又は５に係る発明によれば、子器側装置と本体側装置との送受信に部屋などの壁や簡単なパーティションで遮蔽することができる赤外線を使用しているので、隣の部屋で同じチャンネルの周波数を使用しても混信することがない。
【００１５】
請求項６に係る発明によれば、健聴者は補聴器の機能を除いた個人別送信部を携帯するだけで、難聴者との会話を円滑に行うことができる。
【発明を実施するための最良の形態】
【００１６】
以下に本発明の実施の形態を添付図面に基づいて説明する。ここで、図１は本発明に係る相互通話装置の第１実施例のブロック構成図、図２は同じく第２実施例のブロック構成図、図３は同じく第３実施例のブロック構成図、図４は同じく第４実施例のブロック構成図である。
【００１７】
本発明に係る相互通話装置の第１実施例は、図１に示すように、教室内で各生徒が携帯する子器側装置１と、教室毎に設置される本体側装置２からなる。子器側装置１から本体側装置２への送信は、赤外線Ｒを用いて行われ、本体側装置２から子器側装置１への送信は、磁波Ｍを用いて行われる。
【００１８】
子器側装置１は、マイクロホン１０と、誘導コイル１１と、増幅部１２と、イヤホン１３と、赤外線変調部１４と、赤外線送信部１５からなる。ここで、マイクロホン１０、増幅部１２、赤外線変調部１４、赤外線送信部１５によって送信機として働き、誘導コイル１１、増幅部１２、イヤホン１３によって受信機として働く。
【００１９】
本体側装置２は、受光センサ（赤外線アンテナ）２０と、子器側装置１の個数以上の赤外線復調部２１と、ループアンプ２２と、磁気ループ２３からなり、赤外線Ｒで受信して磁波Ｍで送信する。
【００２０】
以上のように構成された第１実施例の作用について説明する。各生徒が携帯している子器側装置１のマイクロホン１０で集音した各個人の音声が増幅部１２で増幅され、更に赤外線変調部１４で変調され、変調された信号が赤外線送信部１５から赤外線Ｒとして発信される。
【００２１】
すると、子器側装置１から発信された個々の赤外線Ｒは、本体側装置２の受光センサ２０で受信され、各々のチャンネルの赤外線復調部２１で検波される。検波された音声信号は混合され、ループアンプ２２で増幅されて磁気ループ２３から磁波Ｍとして発信される。
【００２２】
磁気ループ２３から発信された磁波Ｍは、個々の生徒が携帯している子器側装置１の誘導コイル１１で受信され、誘導コイル１１で受信された信号を増幅部１２で増幅した後に、イヤホン１３で聴取する。
【００２３】
赤外線Ｒは、部屋の壁や簡単なパーティションで遮蔽することができることから、隣の教室でも同じチャンネルの周波数を使用することができるため、少ないチャンネルの周波数で、各教室における相互通話装置を構成することが可能になる。
【００２４】
次に、本発明に係る相互通話装置の第２実施例は、図２に示すように、教室内で各生徒が携帯する子器側装置３と、教室毎に設置される本体側装置２からなる。
【００２５】
子器側装置３が、マイクロホン３０と誘導コイル３１と増幅部３２とイヤホン３３からなる補聴器に相当する共同聴取用受信部３４と、マイクロホン３５と増幅部３６と赤外線変調部３７と赤外線送信部３８からなる個人別送信部３９とから構成される点が、図１に示す第１実施例と相違する。その他の構成は第１実施例と同様である。
【００２６】
このような第２実施例において、健聴者である先生は補聴器の機能を除いた個人別送信部３９を携帯するだけで、補聴器に相当する共同聴取用受信部３４と個人別送信部３９を携帯している難聴者である生徒との会話を円滑に行うことができる。なお、健聴者である先生だけ個人別送信部３９を携帯し、難聴者である生徒は、図１に示す子器側装置１を携帯することもできる。その他の作用・効果は第１実施例と同様である。
【００２７】
次に、本発明に係る相互通話装置の第３実施例は、図３に示すように、教室内で各生徒が携帯する子器側装置４と、教室毎に設置される本体側装置５からなる。子器側装置４から本体側装置５への送信は、赤外線Ｒを用いて行われ、本体側装置５から子器側装置４への送信も、赤外線Ｒを用いて行われる。
【００２８】
子器側装置４は、マイクロホン４０と、受光センサ４１と、赤外線復調部４２と、増幅部４３と、イヤホン４４と、赤外線変調部４５と、赤外線送信部４６からなる。ここで、マイクロホン４０、増幅部４３、赤外線変調部４５、赤外線送信部４６による構成が送信機として働き、受光センサ４１、赤外線復調部４２、増幅部４３、イヤホン４４による構成が受信機として働く。
【００２９】
本体側装置５は、受光センサ（赤外線アンテナ）５０と、子器側装置４の個数以上の赤外線復調部５１と、赤外線変調部５２と、赤外線送信部５３からなり、赤外線Ｒで受信して赤外線Ｒで送信する。
【００３０】
以上のように構成された第３実施例の作用について説明する。各生徒が携帯している子器側装置４のマイクロホン４０で集音した各個人の音声を増幅部４３で増幅し、更に赤外線変調部４５で変調した信号を赤外線送信部４６から赤外線Ｒとして発信する。
【００３１】
すると、子器側装置４から発信された個々の赤外線Ｒは、本体側装置５の受光センサ５０で受信され、各々のチャンネルの赤外線復調部５１で検波される。検波された音声信号は混合され、更に赤外線変調部５２で変調されて赤外線送信部５３から赤外線Ｒとして発信される。
【００３２】
赤外線送信部５３から発信された赤外線Ｒは、個々の生徒が携帯している子器側装置４の受光センサ４１で受信され、これが各々の赤外線復調部４２で検波される。赤外線復調部４２で検波され信号を増幅部４３で増幅した後に、イヤホン４４で聴取する。
【００３３】
次に、本発明に係る相互通話装置の第４実施例は、図４に示すように、教室内で各生徒が携帯する子器側装置６と、教室毎に設置される本体側装置５からなる。
【００３４】
子器側装置６が、マイクロホン６０と受光センサ６１と赤外線復調部６２と増幅部６３とイヤホン６４からなる共同聴取用受信部６５と、マイクロホン３５と増幅部３６と赤外線変調部３７と赤外線送信部３８からなる個人別送信部３９とから構成される点が、図３に示す第３実施例と相違する。その他の構成は第３実施例と同様である。
【００３５】
このような第４実施例において、健聴者である先生は個人別送信部３９を携帯するだけで、共同聴取用受信部６５と個人別送信部３９を携帯している難聴者である生徒との会話を円滑に行うことができる。なお、健聴者である先生だけ個人別送信部３９を携帯し、難聴者である生徒は、図３に示す子器側装置４を携帯することもできる。その他の作用・効果は第３実施例と同様である。
【産業上の利用可能性】
【００３６】
本発明によれば、部屋の壁や簡単なパーティションで遮蔽することができる赤外線を使用しているので、隣の部屋などでも同じチャンネルの周波数を使用することができ、少ないチャンネルの周波数で、各部屋における相互通話装置を構成することが可能になる。
【図面の簡単な説明】
【００３７】
【図１】本発明に係る相互通話装置の第１実施例のブロック構成図
【図２】本発明に係る相互通話装置の第２実施例のブロック構成図
【図３】本発明に係る相互通話装置の第３実施例のブロック構成図
【図４】本発明に係る相互通話装置の第４実施例のブロック構成図
【符号の説明】
【００３８】
１，３，４，６…子器側装置、２，５…本体側装置、１０，３０，３５，４０，６０…マイクロホン、１１，３１…誘導コイル、１２，３２，３６，４３，６３…増幅部、１３，３３，４４，６４…イヤホン、１４，３７，４５，５２…赤外線変調部、１５，３８，４６，５３…赤外線送信部、２０，４１，５０，６１…受光センサ、２１，４２，５１，６２…赤外線復調部、２２…ループアンプ、２３…磁気ループ、Ｍ…磁波、Ｒ…赤外線。
【図１】
2005252960.tif 000003
【図２】
2005252960.tif 000004
【図３】
2005252960.tif 000005
【図４】
2005252960.tif 000006